(57)【要約】      （修正有）【課題】旋回式風力発電機をより効率的に運転し、かつ直立式の設計で旋回式風力発電機を便利に縦または横に並べて使用でき、同一の軸棒を利用して旋回式風力発電機を連結して使用し、省スペースとコスト節約の効果を達することができる、風力発電機を提供する。【解決手段】旋回式風力発電機は、軸棒１０と、ブレードアセンブリ１２と、フレーム３０を含み、軸棒の外側の一端に放射状に平均的に配列された第１受風片１１が周設され、各ブレードアセンブリが、第１棒体１２１と、第２受風片１２２と、第２棒体１２３を含み、第２受風片の一側が第１棒体に連接され、第２受風片の他側が第２棒体に連接され、そのうち、第１受風片に第１棒体と第２棒体が軸着され、第２受風片を折り返して動かすことができ、フレームの上端が軸棒に軸着され、軸棒をフレームで水平に旋回させることができる。【選択図】図１
0003216296.tif 000002
【実用新案登録請求の範囲】
【請求項１】
旋回式風力発電機であって、軸棒と、少なくとも１つのブレードアセンブリと、フレームを含み、
前記軸棒の外側の一端に、放射状に平均的に配列された少なくとも１つの第１受風片が周設され、
前記各ブレードアセンブリが、第１棒体と、第２受風片と、第２棒体を含み、該第２受風片の一側が該第１棒体に連接され、該第２受風片の他側が該第２棒体に連接され、そのうち、該第１受風片に該第１棒体と該第２棒体が軸着され、該第２受風片を折り返して動かすことができ、
前記フレームの上端が該軸棒に軸着され、該軸棒を該フレームで水平に旋回させることができることを特徴とする、旋回式風力発電機。
【請求項２】
前記軸棒の一端に、該軸棒の回動停止を制御するためのブレーキコントローラが連接され、該軸棒の他端に動力出力ユニットが連接され、該軸棒が旋回動作をするとき、該動力出力ユニットが動力エネルギーを提供することを特徴とする、請求項１に記載の旋回式風力発電機。
【請求項３】
前記第２受風片の材質が、帆布、プラスチック、金属材質からいずれかが選択されることを特徴とする、請求項１に記載の旋回式風力発電機。
【考案の詳細な説明】
【技術分野】
【０００１】
本考案は旋回式風力発電機に関し、特に、受風片の折り返しを利用して軸棒を高速旋回させる風力発電機であって、運転時の効率がより高く、重量の軽減、コスト節約、容易な保守という使用効果を達することができる、旋回式風力発電機に関する。
【背景技術】
【０００２】
現有の風力発電機には、台湾特許第Ｍ５４０１８７Ｕ号の「風力発電機」があり、これは重量の軽減、性能増進、コスト節約、容易な保守などの効果を備えている。
【０００３】
しかしながら、該風力発電機のブレードは水平設計であるため、風力発電機の体積が巨大になり、複数個の風力発電機を縦または横に連結して発電に使用したい場合容易ではない。 
【０００４】
これに鑑み、本考案の考案者は、同様に受風片の折り返しを利用して該軸棒を高速旋回させながら、体積がより小さく、省スペースの効果を達成できる、風力発電機を提供することを本考案の創作の動機として、研究と設計に取り組んだものである。
【先行技術文献】
【特許文献】
【０００５】
【特許文献１】台湾特許第Ｍ５４０１８７Ｕ号明細書
【考案の概要】
【考案が解決しようとする課題】
【０００６】
本考案の主な目的は、使用者が便利に縦または横に配置して使用でき、体積が小さく、省スペースの効果を達成することができる、風力発電機を提供することにある。
【課題を解決するための手段】
【０００７】
以下この考案について説明する。請求項１に記載する旋回式風力発電機は、軸棒と、少なくとも１つのブレードアセンブリと、フレームを含み、該軸棒の外側の一端に放射状に平均的に配列された少なくとも１つの第１受風片が周設され、該各ブレードアセンブリが、第１棒体と、第２受風片と、第２棒体を含み、該第２受風片の一側が該第１棒体に連接され、該第２受風片の他側が該第２棒体に連接され、そのうち、該第１受風片に該第１棒体と該第２棒体が軸着され、該第２受風片を折り返して動かすことができ、該フレームの上端が該軸棒に軸着され、該軸棒を該フレームで水平に旋回させることができる。これにより、風力をより効果的に受け取ることができ、かつ直立式の設計で旋回式風力発電機を便利に縦または横に並べて配置して使用でき、使用者は同一の軸棒を利用して旋回式風力発電機を重ねて配置し、省スペースとコスト節約の効果を達することができる。
【０００８】
請求項２に記載する旋回式風力発電機は、該軸棒の一端に、該軸棒の回動停止を制御するためのブレーキコントローラが連接され、該軸棒の他端に動力出力ユニットが連接され、該軸棒が旋回動作をするとき、該動力出力ユニットが動力エネルギーを提供する、または動力を発電に提供する。
【０００９】
請求項３に記載する旋回式風力発電機は、該第２受風片の材質は、帆布、プラスチック、金属材質からいずれかが選択される。
【図面の簡単な説明】
【００１０】
【図１】本考案の実施例の立体斜視図である。
【図２】本考案の実施例の動作を示す立体斜視図である。
【図３】本考案の実施例の動作を示す俯瞰図である。
【考案を実施するための形態】
【００１１】
図１と図２に示すように、本考案の旋回式風力発電機は、軸棒１０と、少なくとも１つのブレードアセンブリ１２と、フレーム３０を含み、該軸棒１０の外側の一端に放射状に平均的に配列された少なくとも１つの第１受風片１１が周設され、該各ブレードアセンブリが、第１棒体１２１と、第２受風片１２２と、第２棒体１２３を含み、該第２受風片１２２の一側が該第１棒体１２１に連接され、該第２受風片１２２の他側が該第２棒体１２３に連接され、そのうち、該第１受風片１１に該第１棒体１２１と該第２棒体１２３が軸着され、該第２受風片１２２を折り返して動かすことができ、該フレーム３０の上端が該軸棒１０に軸着され、該軸棒１０を該フレーム３０で水平に旋回させることができる。これにより、風力をより効果的に受け取ることができ、かつ本考案の旋回式風力発電機は直立式の設計であるため、使用者は横並びに配置したり、同一の軸棒１０を利用して本考案の旋回式風力発電機を上下に重ねて配置したりすることができる。つまり、本考案の旋回式風力発電機の直立式設計は使用者が便利に縦または横に並べて配置して使用でき、省スペースとコスト節約の効果を達することができる。
【００１２】
上述を受け、該軸棒１０の一端に、該軸棒１０の回動停止を制御するためのブレーキコントローラ１０１が連接され、該軸棒１０の他端に、動力出力ユニット１０２が連接され、該軸棒１０が旋回動作をするとき、該動力出力ユニット１０２を利用して動力エネルギーを提供し、本考案の旋回式風力発電機は該動力出力ユニット１０２を介して該軸棒１０の旋回動作で発生する動力を出力し、発電の効果を達する。
【００１３】
図２と図３に示すように、風力が本考案の旋回式風力発電機に吹き付けられると、該第１受風片１１が受風面となり、気流の進行方向に沿って移動し、該第１受風片１１上に軸着された第１棒体１２１、第２棒体１２３も同期して旋回し、風力の影響を受けて自動的に第２受風片１２２が閉じられ、風力を捕捉する。該第１受風片１１が追い風を受けるとき、第２受風片１２２が風力によって開かれ、抵抗を発生せず、気流が強くなるほど、該第２受風片１２２の折り返し角度も大きくなり、回転半径を減少して該軸棒１０の回転速度を増加できる。設計を考慮して、該第２受風片１２２には帆布材質を選択することで重量を軽減できる。該第２受風片１２２の折り返しで摩擦抵抗力が減少され、旋回式風力発電機の性能が高められる。旋回式風力発電機を静止させたいときは、該ブレーキコントローラ１０１を利用して該軸棒１０の回動を停止させる。これにより、本考案の旋回式風力発電機は風力を運用して該第１受風片１１及び該ブレードアセンブリ１２を回動させ、同時に各該ブレードアセンブリ１２をそれぞれ折り返して動かし、該軸棒１０を高速で回動させ、力を省く効果を達することができる。
【符号の説明】
【００１４】
１０      軸棒
１０１    ブレーキコントローラ
１０２    動力出力ユニット
１１      第１受風片
１２      ブレードアセンブリ
１２１    第１棒体
１２２    第２受風片
１２３    第２棒体
３０      フレーム
【図１】
0003216296.tif 000003
【図２】
0003216296.tif 000004
【図３】
0003216296.tif 000005